(57)【要約】【課題】  短絡によって高熱が生じたり、外部から衝撃を受けたりした場合、爆発現象の発生を防ぐ保護構造を具えた安全な電池を提供する。【解決手段】  プラスチック材によってなる上下ハウジングと、リチウム電池本体と、接点などの部材によってなる電池であって、該上ハウジングには爆発防止孔を形成してなり、該下ハウジングには該リチウム電池本体の接点に接触する接点を埋設してなり、該上下ハウジングを接着してハウジングを形成するとともに、該リチウム電池本体を該ハウジング内に封入し、該リチウム電池本体の接点と、該下ハウジングに埋設した接点との接触する箇所を接着剤で密封して構成する。【選択図】  図２
0003102749.tif 000002
【実用新案登録請求の範囲】
【請求項１】
プラスチック材によってなる上下ハウジングと、リチウム電池本体と、接点などの部材によってなる電池の構造において、
該上ハウジングには爆発防止孔を形成してなり、該下ハウジングには該リチウム電池本体の接点に接触する接点を埋設してなり、
該上下ハウジングを接着してハウジングを形成するとともに、該リチウム電池本体を該ハウジング内に封入し、該リチウム電池本体の接点と、該下ハウジングに埋設した接点との接触する箇所を接着剤で密封して構成することを特徴とする電池。
【請求項２】
前記上ハウジングは長手方向の両端縁部の内壁には突起部を形成し、該下ハウジングの長手方向の両端縁部の内壁で該上ハウジングの突起部に対応する位置に凹溝を形成し、該上ハウジングと下ハウジングとを組み立てる場合、該凹溝内に接着剤を注入して該上ハウジングの突起部を嵌着させてハウジングを形成し、且つ該リチウム電池本体の接点と下ハウジングに埋設した接点との接触する箇所の接着剤による接着を強化して、該ハウジングが気密になるように構成することを特徴とする請求項１に記載の電池。
【考案の詳細な説明】
【技術分野】
【０００１】
この考案は、電池に関し、特に電池が外部からの衝撃を受けたり、短絡による高熱が生じたりした場合に、電池の爆発を防ぐ保護構造を有する電池に関する。
【背景技術】
【０００２】
最近、携帯電話機の使用者が電池の爆発によって傷害を受けた事件が報道された。その原因は携帯電話機内の電池に短絡による高熱が生じ、且つ電池内に充満した気体を抜くための手段を具えていないためである。図１に開示する従来の電池は携帯電話機内に設けられるリチウム電池であって、その製造はリチウム電池本体（１００）と、電池の接点（２００）とを溶接した後、外部を金属製の外部ハウジング（３００）で被覆する。外部ハウジング（３００）の一端には排気孔を穿設する。但し、該排気孔を穿設した一端から電池内の気体を抽出して真空にした後、物質を注入する。更に、排気孔を封止する（完全に塞ぐ）。このため、爆発防止用の通気孔を具えない金属製ハウジングに封入された電池が形成される。
【０００３】
また、高分子リチウム電池はアルミ箔で電池を包み、封止して形成した電池である。
【０００４】
但し、上述の２種類の電池はいずれも通気孔が封止されている（完全に塞ぐ）。このため、短絡によって高熱が生じたり、外部から衝撃を受けたりした場合、爆発現象が容易に発生し、使用者にとって危険であり、安全性に欠ける。
【考案の開示】
【考案が解決しようとする課題】
【０００５】
この考案は、短絡によって高熱が生じたり、外部から衝撃を受けたりした場合、爆発現象の発生を防ぐ保護構造を具えた安全な電池を提供することを課題とする。
【課題を解決するための手段】
【０００６】
そこで、本考案者は従来の技術に見られる欠点に鑑み鋭意研究を重ねた結果、プラスチックを射出成型してなる上下ハウジングを組み合わせてなるハウジング内に電池本体を封入してなり、該上ハウジングには爆発防止孔を形成するとともに、該下ハウジングには該電池本体の接点に電気的に接続する接点を埋設してなる電池の構造によって課題を解決できる点に着眼し、かかる知見に基づいて本発明を完成させた。
【０００７】
以下、この考案について具体的に説明する。
請求項１に記載する電池は、プラスチック材によってなる上下ハウジングと、リチウム電池本体と、接点などの部材によってなる電池の構造において、
該上ハウジングには爆発防止孔を形成してなり、該下ハウジングには該リチウム電池本体の接点に接触する接点を埋設してなり、
該上下ハウジングを接着してハウジングを形成するとともに、該リチウム電池本体を該ハウジング内に封入し、該リチウム電池本体の接点と、該下ハウジングに埋設した接点との接触する箇所を接着剤で密封して構成する。
【０００８】
請求項２に記載する電池は、請求項１における上ハウジングの長手方向の両端縁部の内壁に突起部を形成し、該下ハウジングの長手方向の両端縁部の内壁で該上ハウジングの突起部に対応する位置に凹溝を形成し、該上ハウジングと下ハウジングとを組み立てる場合、該凹溝内に接着剤を注入して該上ハウジングの突起部を嵌着させてハウジングを形成し、且つ該リチウム電池本体の接点と下ハウジングに埋設した接点との接触する箇所の接着剤による接着を強化して、該ハウジングが気密になるように構成する。
【考案の効果】
【０００９】
本考案の電池は、電池に短絡によって高熱が発生したり、外部から衝撃を受けたりした場合に発生する電池の爆発を防ぎ、使用者の安全を守るという利点がある。
【考案を実施するための最良の形態】
【００１０】
この考案の電池は、外部からの衝撃を受けたり、短絡による高熱が生じたりした場合に、電池の爆発を防ぐ保護構造を有する電池を提供するものであって、プラスチックを射出成型してなる上下ハウジングを組み合わせてなるハウジング内に電池本体を封入してなり、該上ハウジングには爆発防止孔を形成するとともに、該下ハウジングには該電池本体の接点に電気的に接続する接点を埋設して構成する。
係る構成の電池について、その構造と特徴を詳述するために具体的な実施例を挙げ、以下に説明する。
【実施例】
【００１１】
この考案による電池は、図２、３、４に開示するように、上ハウジング（１）と、下ハウジング（２）と、リチウム電池本体（３）と、接点（４）などによってなる。該上ハウジング（１）はプラスチック材を射出成型してなり、長手方向の両端縁部の内壁には突起部（１１）を形成する。該下ハウジング（２）もプラスチック材を射出成型してなり、長手方向の両端縁部の内壁で該上ハウジング（１）の突起部（１１）に対応する位置に凹溝（２１）を形成する。該上ハウジング（１）と下ハウジング（２）とを組み立てる場合は、該凹溝（２１）内に接着剤を注入し、上ハウジング（１）の突起部（１１）を嵌着させる。
【００１２】
該リチウム電池本体（３）はハウジング内に封入する場合、電池の接点は下ハウジング（２）に埋設した接点（４）に接触させる。また、接点の接触する箇所は接着剤による接着を強化して、電池の接点と下ハウジング（２）に埋設した接点（４）との接触の密着性と、ハウジングの密封性を維持する。
【００１３】
この考案による電池の特徴は、上ハウジング（１）を射出成形する場合に爆発防止孔（１２）を形成することにある。上ハウジング（１）と下ハウジング（２）とを組み合わせ電池本体を封入した後、該爆発防止孔（１２）から内部の気体を抽出して真空状態にし、更に物質を注入して孔部を封止する。電池に短絡現象が発生し、且つ高熱が発生するか、もしくは外部からの衝撃を受けた場合、真空状態になった電池内に注入した物質は上ハウジング（１）の爆発防止孔（１２）の封止を破壊する。このため、気体を抜く箇所がなく、電池が爆発する現象を防止することができる。
【００１４】
以上をまとめると、この考案は電池の改良構造を提供するものであって、プラスチック材によってなる上ハウジング（１）と、下ハウジング（２）とを利用してリチウム電池本体（３）を封入し、且つ上ハウジングに爆発防止孔（１２）を形成する。係る構造は普及率、もしくは使用度の極めて高い携帯電話機の電池に応用することができ、短絡によって放熱が発生するか、もしくは外部からの衝撃を受けた場合、電池の爆発する現象を防ぎ、使用者の安全を確保することができる。
【００１５】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００１６】
【図１】従来の電池の保護構造を示した断面図である。
【図２】この考案による電池の保護構造を示した説明図である。
【図３】図２に開示する電池の平面図である。
【図４】図２に開示する電池の底面図である。
【符号の説明】
【００１７】
１            上ハウジング
１１          突起部
１２          爆発防止孔
２            下ハウジング
２１          凹溝
３            リチウム電池本体
４            接点
１００        リチウム電池本体
２００        接点
３００        外部ハウジング
【図１】
0003102749.tif 000003
【図２】
0003102749.tif 000004
【図３】
0003102749.tif 000005
【図４】
0003102749.tif 000006